(57)【要約】【課題】銀行側が、第２開口部から通帳が排出されたことを、外部装置を介して認識可能とする通帳印刷装置を提供する。【解決手段】通帳２０１が挿入され、通帳２０１が取り出される第１開口部７、および通帳２０１が排出される第２開口部９、が設けられた筐体と、第１開口部７と第２開口部９とを結ぶ搬送路３５と、搬送路３５に沿って、通帳２０１を搬送する搬送部２１と、通帳２０１に対し、印刷を行う印刷部２３と、ホストコンピューターと通信する通信部と、第２開口部９から通帳２０１が排出されるように、搬送部２１を制御した場合に、第２開口部９から通帳２０１が排出されたことを意味する第１情報を、ホストコンピューターへ送信するように、通信部を制御する制御部とを備えた。【選択図】図３
2020138349.tif 000002
【特許請求の範囲】
【請求項１】
通帳が挿入され、前記通帳が取り出される第１開口部、および前記通帳が排出される第２開口部、が設けられた筐体と、
前記第１開口部と前記第２開口部とを結ぶ搬送路と、
前記搬送路に沿って、前記通帳を搬送する搬送部と、
前記通帳に対し、印刷を行う印刷部と、
外部装置と通信する通信部と、
前記第２開口部から前記通帳が排出されるように、前記搬送部を制御した場合に、前記第２開口部から前記通帳が排出されたことを意味する第１情報を、前記外部装置へ送信するように、前記通信部を制御する制御部と、
を備えたことを特徴とする通帳印刷装置。
【請求項２】
前記第１開口部に搬送された前記通帳が取り出されたか否かを検出する検出部、を備え、
前記制御部は、前記検出部の検出結果に基づいて、前記第１開口部に搬送された前記通帳が取り出されていない状態が、基準時間を超えて継続しているか否かを判断し、前記基準時間を超えて継続していると判断した場合に、前記第２開口部から前記通帳が排出されるように、前記搬送部を制御することを特徴とする請求項１に記載の通帳印刷装置。
【請求項３】
前記第２開口部から前記通帳が排出された旨を報知する報知部、を備え、
前記制御部は、前記第２開口部から前記通帳が排出されるように、前記搬送部を制御した場合に、前記第２開口部から前記通帳が排出された旨を報知するように、前記報知部を制御することを特徴とする請求項１または２に記載の通帳印刷装置。
【請求項４】
前記通帳には、前記通帳を特定する第２情報が記録された記録領域が含まれ、
前記記録領域から前記第２情報を読み取る読取り部、を備え、
前記制御部は、前記第２開口部から前記通帳が排出されるように、前記搬送部を制御した場合に、前記第１情報と、前記第２情報と、を前記外部装置へ送信するように、前記通信部を制御することを特徴とする請求項１ないし３のいずれか一項に記載の通帳印刷装置。
【請求項５】
前記通帳には、前記記録領域として、前記第２情報が磁気情報として記録された磁気記録領域、および、前記第２情報が画像情報として記録された画像記録領域、の少なくとも一方が含まれ、
前記読取り部は、前記磁気記録領域から前記第２情報を読み取る磁気読取り部、および前記画像記録領域から前記第２情報を読み取る画像読取り部、の少なくとも一方を有することを特徴とする請求項４に記載の通帳印刷装置。
【請求項６】
前記第１開口部に搬送された前記通帳が取り出されたか否かを検出する検出部、を備え、
前記読取り部は、前記検出部としても機能することを特徴とする請求項４または５に記載の通帳印刷装置。
【請求項７】
前記搬送路に沿って、前記印刷部および前記読取り部が配置されていることを特徴とする請求項４ないし６のいずれか一項に記載の通帳印刷装置。
【請求項８】
通帳が挿入され、前記通帳が取り出される第１開口部、および前記通帳が排出される第２開口部、が設けられた筐体と、
前記第１開口部と前記第２開口部とを結ぶ搬送路と、
前記搬送路に沿って、前記通帳を搬送する搬送部と、
前記通帳に対し、印刷を行う印刷部と、
外部装置と通信する通信部と、を備えた通帳印刷装置において、
前記搬送部により、前記第２開口部から前記通帳を排出するステップと、
前記通信部により、前記第２開口部から前記通帳が排出されたことを意味する第１情報を、前記外部装置へ送信するステップと、
を備えたことを特徴とする通帳印刷装置の制御方法。
【発明の詳細な説明】
【技術分野】
【０００１】
本発明は、通帳に印刷を行う通帳印刷装置および通帳印刷装置の制御方法に関するものである。
【背景技術】
【０００２】
従来、特許文献１が開示するように、通帳挿入口に搬送された通帳が取り忘れられた場合に、通帳を装置内に取り込み、通帳を開口部から排出する通帳類取扱い装置が知られている。
【先行技術文献】
【特許文献】
【０００３】
【特許文献１】特開昭６３−０３７９７５号公報
【発明の概要】
【発明が解決しようとする課題】
【０００４】
従来の通帳類取扱い装置では、通帳が開口部から排出された場合に、通帳が開口部から排出されたことを銀行側が認識することが困難である。
【課題を解決するための手段】
【０００５】
本発明の通帳印刷装置は、通帳が挿入され、通帳が取り出される第１開口部、および通帳が排出される第２開口部、が設けられた筐体と、第１開口部と第２開口部とを結ぶ搬送路と、搬送路に沿って、通帳を搬送する搬送部と、通帳に対し、印刷を行う印刷部と、外部装置と通信する通信部と、第２開口部から通帳が排出されるように、搬送部を制御した場合に、第２開口部から通帳が排出されたことを意味する第１情報を、外部装置へ送信するように、通信部を制御する制御部と、
を備えた。
【０００６】
本発明の通帳印刷装置の制御方法は、通帳が挿入され、通帳が取り出される第１開口部、および通帳が排出される第２開口部、が設けられた筐体と、第１開口部と第２開口部とを結ぶ搬送路と、搬送路に沿って、通帳を搬送する搬送部と、通帳に対し、印刷を行う印刷部と、外部装置と通信する通信部と、を備えた通帳印刷装置において、搬送部により、第２開口部から通帳を排出するステップと、通信部により、第２開口部から通帳が排出されたことを意味する第１情報を、外部装置へ送信するステップと、を備えた。
【図面の簡単な説明】
【０００７】
【図１】一実施形態に係る通帳印刷装置の斜視図である。
【図２】通帳印刷装置を＋Ｙ側から見た図である。
【図３】装置本体の断面図である。
【図４】装置本体のうち、搬送路よりも−Ｚ側の部分の斜視図である。
【図５】通帳印刷装置の制御系を示すブロック図である。
【図６】制御部が実行する排出制御処理の流れを示すフローチャートである。
【発明を実施するための形態】
【０００８】
以下、添付の図面を参照しつつ、印刷装置の一実施形態である通帳印刷装置１について説明する。なお、以下の図面では、ＸＹＺ直交座標系を表示するが、説明の便宜上のものにすぎず、以下の実施形態を何ら限定するものではない。また、各部の個数などを示す数値は、いずれも例示にすぎず、以下の実施形態を何ら限定するものではない。
【０００９】
図１および図２に基づいて、通帳印刷装置１の概要について説明する。通帳印刷装置１は、銀行の支店等に設置されており、銀行の管理センター等に設置されたホストコンピューター１０１（図５参照）と通信可能に接続されている。通帳印刷装置１は、ホストコンピューター１０１から送信された印刷データに基づいて、通帳２０１に記帳すなわち印刷を行う。
【００１０】
通帳印刷装置１は、筐体３と、筐体３に収容された装置本体５（図３および図４参照）とを備えている。筐体３には、−Ｙ側の面に第１開口部７が設けられ、＋Ｙ側の面に第２開口部９が設けられている。
【００１１】
第１開口部７は、Ｘ方向に長い略長方形状に形成されている。第１開口部７には、通帳２０１が手差し挿入される。また、第１開口部７からは、後述する印刷部２３により印刷が行われた通帳２０１が取り出される。第１開口部７の外側すなわち−Ｙ側には、通帳台１１が設けられている。通帳台１１は、通帳２０１が第１開口部７に挿入される際には、通帳２０１を第１開口部７に案内するガイドとして機能する。また、通帳台１１は、印刷後に第１開口部７に搬送された通帳２０１を支持する。なお、通帳２０１は、通常、見開き状態で、第１開口部７から手差し挿入され、その状態のまま搬送されるが、これに限定されず、閉じられた状態で挿入、搬送されてもよい。また、通帳２０１の見開き外側の面には、磁気ストライプ２０３が設けられている。磁気ストライプ２０３には、通帳２０１を特定する第２情報が記録されている。第２情報には、店番号、口座番号等が含まれる。なお、磁気ストライプ２０３は、「磁気記録領域」の一例である。
【００１２】
第２開口部９は、Ｘ方向に長い略長方形状に形成されている。第２開口部９からは、ユーザーが取り忘れた通帳２０１が排出される。すなわち、印刷後に第１開口部７に搬送された通帳２０１が、基準時間を超えても取り出されない場合には、通帳２０１が第１開口部７から第２開口部９へ搬送され、第２開口部９から筐体３外へ排出される。なお、第２開口部９から排出された通帳２０１は、例えば、第２開口部９の−Ｚ側に設けられた通帳収容ケース（図示省略）内に落下し、通帳収容ケース内に収容される。
【００１３】
図３および図４に基づいて、装置本体５について説明する。装置本体５は、ベースフレーム１３と、２つのサイドフレーム１５と、第１搬送壁部１７と、第２搬送壁部１９とを備えている。また、装置本体５は、搬送部２１と、印刷部２３と、突当部材２５と、第１通帳検出部２７と、第２通帳検出部２９（図５参照）と、磁気読書き部３１と、画像読取り部３３とを備えている。
【００１４】
２つのサイドフレーム１５のうち、一方のサイドフレーム１５は、ベースフレーム１３の−Ｘ側の端部に設けられ、他方のサイドフレーム１５は、ベースフレーム１３の＋Ｘ側の端部に設けられている。第２搬送壁部１９は、２つのサイドフレーム１５間に設けられている。第１搬送壁部１７は、第２搬送壁部１９の＋Ｚ側に設けられている。第１搬送壁部１７と第２搬送壁部１９との間の空間は、通帳２０１が搬送される搬送路３５を構成している。すなわち、第１搬送壁部１７は、搬送路３５にて搬送される通帳２０１の＋Ｚ側の面と対向し、第２搬送壁部１９は、通帳２０１の−Ｚ側の面と対向する。搬送路３５は、第１開口部７と第２開口部９とを結んでいる。ここで、搬送路３５の第１開口部７側、すなわち通帳２０１が手差し挿入される側を、搬送路３５の上流といい、搬送路３５の第２開口部９側を、搬送路３５の下流という。搬送路３５に沿って、上流から順に、磁気読書き部３１、突当部材２５、印刷部２３、および画像読取り部３３が設けられている。
【００１５】
搬送部２１は、通帳２０１を、搬送路３５に沿って、第１搬送方向Ｄ１および第２搬送方向Ｄ２に搬送する。ここで、第１搬送方向Ｄ１は、搬送路３５の上流から下流に向かう方向を意味し、第２搬送方向Ｄ２は、搬送路３５の下流から上流に向かう方向を意味する。搬送部２１は、３つの搬送ローラー対３７と、搬送モーター３９（図５参照）と、輪列４１とを備えている。３つの搬送ローラー対３７は、搬送路３５に沿って設けられている。以下では、３つの搬送ローラー対３７を、上流から順に、第１搬送ローラー対３７ａ、第２搬送ローラー対３７ｂ、および第３搬送ローラー対３７ｃという。また、これらを区別する必要がないときには、単に、搬送ローラー対３７という。搬送ローラー対３７が回転することで、通帳２０１が搬送路３５に沿って搬送される。
【００１６】
各搬送ローラー対３７は、−Ｚ側に設けられた駆動ローラー４３と、＋Ｚ側に設けられた従動ローラー４５とを備えている。駆動ローラー４３は、回転軸方向すなわちＸ方向に並んだ複数のローラー部４７を有する分割ローラーである。同様に、従動ローラー４５は、回転軸方向に並んだ複数のローラー部４７を有する分割ローラーである。通帳２０１の手差し位置や、通帳２０１の幅すなわちＸ方向における寸法、などによっては、ローラー部４７による通帳２０１の挟持箇所が、通帳２０１の幅方向すなわちＸ方向において、いずれか一方の側に偏る場合がある。この場合、通帳２０１が搬送される際に、通帳２０１が第１搬送方向Ｄ１或いは第２搬送方向Ｄ２に対して斜行する要因となり得る。
【００１７】
搬送モーター３９は、搬送ローラー対３７を回転させる駆動源である。搬送モーター３９が第１駆動方向に回転すると、通帳２０１が第１搬送方向Ｄ１に搬送され、搬送モーター３９が第１駆動方向とは反対の第２駆動方向に回転すると、通帳２０１が第２搬送方向Ｄ２に搬送される。輪列４１は、＋Ｚ側のサイドフレーム１５に設けられている。輪列４１は、搬送モーター３９の回転を搬送ローラー対３７に伝達する。
【００１８】
印刷部２３は、通帳２０１に対して印刷を行う。印刷部２３は、キャリッジ４９と、キャリッジガイド軸５１と、プラテン５３と、印刷ヘッド５５と、キャリッジモーター５７（図５参照）とを備えている。キャリッジ４９は、キャリッジモーター５７を駆動源として、Ｘ方向に往復移動する。キャリッジガイド軸５１は、Ｘ方向に延在している。キャリッジガイド軸５１は、キャリッジ４９のＸ方向への移動をガイドする。プラテン５３は、第１搬送ローラー対３７ａと第２搬送ローラー対３７ｂとの間に設けられ、Ｘ方向に延在している。印刷ヘッド５５は、キャリッジ４９に搭載されており、プラテン５３に対し、搬送路３５を間に挟んで、＋Ｚ側から対向している。印刷ヘッド５５は、Ｘ方向に移動しながら、ドットインパクト方式により、プラテン５３上に搬送された通帳２０１の＋Ｚ側の面に対して、印刷を行う。なお、印刷部２３は、ドットインパクト方式により印刷を行う構成に限定されず、例えば、インクジェット方式、電子写真方式、或いはサーマル方式により印刷を行う構成でもよい。
【００１９】
突当部材２５には、搬送される通帳２０１が突き当たる。すなわち、通帳２０１が第１搬送方向Ｄ１に搬送される際には、搬送される通帳２０１の前端２０５が、−Ｙ側から突当部材２５に突き当たり、通帳２０１が第２搬送方向Ｄ２に搬送される際には、搬送される通帳２０１の後端２０７が、＋Ｙ側から突当部材２５に突き当たる。ここで、通帳２０１の前端２０５とは、通帳２０１が第１開口部７に手差し挿入される際に前方となる側の端部、すなわち通帳２０１の＋Ｙ側の端部を意味する。通帳２０１の後端２０７とは、通帳２０１が第１開口部７に手差し挿入される際に後方となる側の端部、すなわち通帳２０１の−Ｙ側の端部を意味する。通帳２０１が第１搬送方向Ｄ１に搬送される際に、通帳２０１の前端２０５が突当部材２５に突き当たることで、通帳２０１の前端２０５がＸ方向と平行になり、通帳２０１の斜行が補正される。また、通帳２０１が第２搬送方向Ｄ２に搬送される際に、通帳２０１の後端２０７が突当部材２５に突き当たることで、通帳２０１の後端２０７がＸ方向と平行になり、通帳２０１の斜行が補正される。
【００２０】
突当部材２５は、第１搬送ローラー対３７ａと第２搬送ローラー対３７ｂとの間に設けられている。突当部材２５は、突当モーター５９（図５参照）を駆動源として、Ｚ方向に移動可能に構成されている。すなわち、突当部材２５は、搬送路３５に突出する突当位置と、搬送路３５から退避する退避位置とに移動可能である。突当部材２５は、通帳２０１を突き当てる際には、突当位置に移動し、通帳２０１を通過させる際には、退避位置に移動する。突当部材２５は、Ｘ方向に並んだ複数の突出部２６を備えている。突当部材２５が突当位置に移動すると、複数の突出部２６が第２搬送壁部１９から搬送路３５に突出する。なお、突当部材２５の駆動源は、突当モーター５９に限定されず、例えば、ソレノイドを用いてもよい。
【００２１】
第１通帳検出部２７は、第１開口部７に手差し挿入された通帳２０１の有無や、印刷後に第１開口部７に搬送された通帳２０１の有無を検出する。第１通帳検出部２７は、Ｘ方向に並んだ複数の第１光センサー６１を備えている。第１光センサー６１は、複数の突出部２６に対して僅かに上流に位置して、複数の突出部２６の相互間に設けられている。なお、第１光センサー６１に代えて、例えば、マイクロスイッチを用いてもよい。
【００２２】
第１光センサー６１の検出結果は、後述する制御部６９（図５参照）に出力される。制御部６９は、通帳２０１が第１開口部７に手差し挿入された際に、複数の第１光センサー６１のうち、１つの第１光センサー６１のみから「ＯＮ」が出力されると、通帳２０１が斜行していると判断し、２つ以上の第１光センサー６１から「ＯＮ」が出力されると、通帳２０１が斜行していない、すなわち通帳２０１の斜行が補正されたと判断する。
【００２３】
また、制御部６９は、通帳２０１が印刷後に第１開口部７に向けて第２搬送方向Ｄ２に搬送された後、少なくとも１つの第１光センサー６１から「ＯＮ」が出力されると、通帳２０１が第１開口部７に搬送されたと判断する。その後、制御部６９は、少なくとも１つの第１光センサー６１から「ＯＮ」が出力されている間は、第１開口部７から通帳２０１が取り出されていないと判断し、すべての第１光センサー６１から「ＯＦＦ」が出力されると、第１開口部７から通帳２０１が取り出されたと判断する。制御部６９は、第１開口部７に搬送された通帳２０１が取り出されていない状態が、基準時間を超えて継続しているか否かを判断し、基準時間を超えて継続していると判断した場合に、第２開口部９から通帳２０１が排出されるように、搬送部２１を制御する。
【００２４】
第２通帳検出部２９は、下流から突当部材２５に突き当たった通帳２０１の有無を検出する。第２通帳検出部２９は、図３および図４では図示省略したが、Ｘ方向に並んだ複数の第２光センサー６２（図５参照）を備えている。第２光センサー６２は、複数の突出部２６に対して僅かに下流に位置して、複数の突出部２６の相互間に設けられている。なお、第１光センサー６１と同様に、第２光センサー６２に代えて、例えば、マイクロスイッチを用いてもよい。
【００２５】
第２光センサー６２の検出結果は、制御部６９に出力される。制御部６９は、複数の第２光センサー６２のうち、１つの第２光センサー６２のみから「ＯＮ」が出力されると、通帳２０１が斜行していると判断し、２つ以上の第２光センサー６２から「ＯＮ」が出力されると、通帳２０１が斜行していない、すなわち通帳２０１の斜行が補正されたと判断する。
【００２６】
磁気読書き部３１は、通帳２０１に設けられた磁気ストライプ２０３に記録された磁気データを読み取り、また、磁気ストライプ２０３に磁気データを書き込む。磁気読書き部３１は、搬送路３５の−Ｚ側に設けられた磁気ヘッド６３と、搬送路３５の＋Ｚ側に設けられた通帳押え部６４とを備えている。磁気ヘッド６３は、磁気データの読取りおよび書込みを行う。通帳押え部６４は、通帳２０１を＋Ｚ側から第２搬送壁部１９に対して押え付け、通帳２０１が第２搬送壁部１９から浮き上がることを抑制する。磁気読書き部３１は、例えば、第１開口部７に手差し挿入された通帳２０１が、第１搬送方向Ｄ１に搬送される際に、磁気ストライプ２０３から上記の第２情報を読み取る。なお、磁気読書き部３１は、「磁気読取り部」の一例である。
【００２７】
画像読取り部３３は、第１読取り部６５と、第２読取り部６７とを備えている。第１読取り部６５は、搬送路３５の＋Ｚ側に設けられており、通帳２０１の＋Ｚ側の面に含まれる画像を読み取る。第２読取り部６７は、搬送路３５の−Ｚ側に設けられており、通帳２０１の−Ｚ側の面に含まれる画像を読み取る。第１読取り部６５は、図示省略したが、イメージセンサーと、光源とを備えている。第２読取り部６７は、第１読取り部６５と同様に、イメージセンサーと、光源とを備えている。
【００２８】
図５に基づいて、通帳印刷装置１の制御系について説明する。通帳印刷装置１は、上記した各部のほか、制御部６９と、通信部７１とを備えている。制御部６９は、通帳印刷装置１の各部を統括的に制御する。制御部６９は、ＣＰＵ７３（Central Processing Unit、プロセッサー）と、ＲＯＭ７５（Read Only Memory）と、ＲＡＭ７７（Random Access Memory）とを備えている。ＣＰＵ７３は、ＲＯＭ７５に記憶された制御プログラムを読み出し、ＲＡＭ７７を用いて実行する。通信部７１は、ホストコンピューター１０１との間で、コマンドや各種情報等を送受信する。なお、ホストコンピューター１０１は、例えば、顧客の口座番号やその暗証番号、取引履歴等の口座関連情報を格納するデータベースを保有しており、顧客の口座を管理する。
【００２９】
図６に基づいて、通帳２０１が印刷後に第１開口部７に向けて第２搬送方向Ｄ２に搬送された後、制御部６９が実行する排出制御処理の流れについて説明する。なお、以下の排出制御処理は、ＣＰＵ７３が制御プログラムを実行することにより実現されるが、ハードウェア資源のみによって実現されてもよい。
【００３０】
制御部６９は、ステップＳ１において、第１通帳検出部２７の検出結果に基づいて、第１開口部７に通帳２０１が搬送されたか否かを判断する。制御部６９は、第１開口部７に通帳２０１が搬送されたと判断した場合（Ｓ１；Ｙｅｓ）には、ステップＳ２に進む。一方、制御部６９は、第１開口部７に通帳２０１が搬送されていないと判断した場合（Ｓ１；Ｎｏ）には、ステップＳ１を繰り返し行う。なお、制御部６９は、通帳２０１の第２搬送方向Ｄ２への搬送開始後、所定の時間を超えても第１開口部７に通帳２０１が搬送されていないと判断した場合には、所定のエラー処理を行ってもよい。
【００３１】
制御部６９は、ステップＳ２において、第１通帳検出部２７の検出結果に基づいて、通帳２０１が第１開口部７から取り出されたか否かを判断する。制御部６９は、通帳２０１が第１開口部７から取り出されたと判断した場合（Ｓ２；Ｙｅｓ）には、排出制御処理を終了する。一方、制御部６９は、通帳２０１が第１開口部７から取り出されていないと判断した場合（Ｓ２；Ｎｏ）には、ステップＳ３に進む。
【００３２】
制御部６９は、ステップＳ３において、第１開口部７に搬送された通帳２０１が取り出されていない状態が、基準時間を超えて継続しているか否かを判断する。すなわち、制御部６９は、通帳２０１が第１開口部７に搬送された時点から、基準時間を経過したか否かを判断する。なお、通帳２０１が第１開口部７に搬送された時点とは、例えば、通帳２０１が第１開口部７に向けて第２搬送方向Ｄ２に搬送された後、少なくとも１つの第１光センサー６１が「ＯＮ」を出力した時点を意味する。制御部６９は、第１開口部７に搬送された通帳２０１が取り出されていない状態が、基準時間を超えて継続していると判断した場合（Ｓ３；Ｙｅｓ）には、ステップＳ４に進む、一方、制御部６９は、第１開口部７に搬送された通帳２０１が取り出されていない状態が、基準時間を超えて継続していないと判断した場合（Ｓ３；Ｎｏ）には、ステップＳ２に戻る。また、基準時間の長さは、特に限定されないが、例えば、３０秒以上６０秒以下の任意の長さである。基準時間の長さは、予め制御プログラムに設定されているが、銀行側が、例えば通帳印刷装置１の利用状況等に応じて、適宜変更可能な構成でもよい。
【００３３】
制御部６９は、ステップＳ４において、通帳２０１が第２搬送方向Ｄ２に搬送され、第２開口部９から排出されるように、搬送モーター３９を制御する。
【００３４】
制御部６９は、ステップＳ５において、第１情報および上記の第２情報をホストコンピューター１０１へ送信するように、通信部７１を制御する。ここで、第１情報とは、第２開口部９から通帳２０１が排出されたことを意味する情報である。第１情報としては、例えば、第２開口部９から通帳２０１を排出した通帳印刷装置１が設置されている支店の店番号、通帳印刷装置１の識別番号、第２開口部９から通帳２０１が排出された日時、などが含まれる情報を用いることができる。ホストコンピューター１０１は、受信した第１情報に基づいて、第２開口部９から通帳２０１が排出された旨を、例えば、ディスプレーに表示し、或いは、音声出力する。制御部６９は、ステップＳ５を実行した後、排出制御処理を終了する。なお、通帳印刷装置１は、排出制御処理の終了後、次の利用者を受け付け可能な状態となる。
【００３５】
以上のように、本実施形態の通帳印刷装置１によれば、第２開口部９から通帳２０１が排出された場合に、第２開口部９から通帳２０１が排出されたことを意味する第１情報が、ホストコンピューター１０１へ送信される。したがって、銀行側が、第２開口部９から通帳２０１が排出されたことを、ホストコンピューター１０１を介して認識することができる。これにより、銀行側は、利用者への通帳２０１の返却や、通帳２０１の再発行等の手続きを、迅速に行うことができる。また、第１情報に加えて、通帳２０１を特定する第２情報がホストコンピューター１０１に送信されるため、通帳２０１を再発行する際に必要とされる第２情報を、別途取得する必要がなく、銀行側の手間を省くことができる。
【００３６】
上記の実施形態に限定されず、その趣旨を逸脱しない範囲で種々の構成を採用可能であることは言うまでもない。例えば、上記の実施形態は、上述したほか、以下のような形態に変更することができる。
【００３７】
通帳印刷装置１は、第２開口部９から通帳２０１が排出された旨を報知するランプ７９（図２参照）を備え、制御部６９が、第２開口部９から通帳２０１が排出されるように、搬送部２１を制御した場合に、第２開口部９から通帳２０１が排出された旨を、例えば点灯或いは点滅することで報知するように、ランプ７９を制御する構成でもよい。ランプ７９は、例えば、第２開口部９と同様に、筐体３の＋Ｙ側の面に設けられる。第２開口部９から通帳２０１が排出された旨を報知する報知部としては、ランプ７９のほか、例えば、ディスプレー、スピーカー、などを用いてもよい。
【００３８】
通帳印刷装置１は、通帳２０１を特定する第２情報を、画像読取り部３３が取得する構成でもよい。すなわち、第２情報が画像情報として記録された画像記録領域が通帳２０１に含まれる場合には、画像読取り部３３がその画像記録領域を読み取ることで、第２情報を取得してもよい。画像記録領域としては、例えば、バーコード、２次元マトリクスコードなどを用いることができる。
【００３９】
通帳印刷装置１は、第１通帳検出部２７に代えて、磁気読書き部３１が、印刷後に第１開口部７に搬送された通帳２０１の有無を検出する構成でもよい。また、画像読取り部３３が第１開口部７の近傍に設けられている場合には、画像読取り部３３が、印刷後に第１開口部７に搬送された通帳２０１の有無を検出する構成でもよい。
【００４０】
通帳印刷装置１は、第１情報および第２情報を、ホストコンピューター１０１に送信する構成に限定されず、例えば、通帳印刷装置１と同じ支店内に設置されたパソコンでもよく、銀行担当者が携帯するスマートフォン等の携帯端末でもよい。すなわち、「外部装置」とは、ホストコンピューター１０１のほか、パソコン、携帯端末などの情報処理装置を含む概念である。
【００４１】
以下、通帳印刷装置１について付記する。
通帳印刷装置１は、通帳２０１が挿入され、通帳２０１が取り出される第１開口部７、および通帳２０１が排出される第２開口部９、が設けられた筐体３と、第１開口部７と第２開口部９とを結ぶ搬送路３５と、搬送路３５に沿って、通帳２０１を搬送する搬送部２１と、通帳２０１に対し、印刷を行う印刷部２３と、ホストコンピューター１０１と通信する通信部７１と、第２開口部９から通帳２０１が排出されるように、搬送部２１を制御した場合に、第２開口部９から通帳２０１が排出されたことを意味する第１情報を、ホストコンピューター１０１へ送信するように、通信部７１を制御する制御部６９と、を備えた。
【００４２】
この構成によれば、第２開口部９から通帳２０１が排出された場合に、第２開口部９から通帳２０１が排出されたことを意味する第１情報が、ホストコンピューター１０１へ送信される。したがって、銀行側が、第２開口部９から通帳２０１が排出されたことを、ホストコンピューター１０１を介して認識することができる。
【００４３】
この場合、第１開口部７に搬送された通帳２０１が取り出されたか否かを検出する第１通帳検出部２７、を備え、制御部６９は、第１通帳検出部２７の検出結果に基づいて、第１開口部７に搬送された通帳２０１が取り出されていない状態が、基準時間を超えて継続しているか否かを判断し、基準時間を超えて継続していると判断した場合に、第２開口部９から通帳２０１が排出されるように、搬送部２１を制御することが好ましい。
【００４４】
この構成によれば、基準時間を経過しても第１開口部７から通帳２０１が取り出されない場合に、第２開口部９から通帳２０１が排出される。これにより、利用者が通帳２０１を第１開口部７から取り忘れた場合にも、次の利用者が通帳印刷装置１を利用することができる。
【００４５】
この場合、第２開口部９から通帳２０１が排出された旨を報知するランプ７９、を備え、制御部６９は、第２開口部９から通帳２０１が排出されるように、搬送部２１を制御した場合に、第２開口部９から通帳２０１が排出された旨を報知するように、ランプ７９を制御することが好ましい。
【００４６】
この構成によれば、第２開口部９から通帳２０１が排出された場合に、ランプ７９により、第２開口部９から通帳２０１が排出された旨が報知される。したがって、銀行側が、第２開口部９から通帳２０１が排出されたことを、ランプ７９を介して認識することができる。
【００４７】
この場合、通帳２０１には、通帳２０１を特定する第２情報が記録された記録領域が含まれ、記録領域から第２情報を読み取る読取り部、を備え、制御部６９は、第２開口部９から通帳２０１が排出されるように、搬送部２１を制御した場合に、第１情報と、第２情報と、をホストコンピューター１０１へ送信するように、通信部７１を制御することが好ましい。
【００４８】
この構成によれば、通帳２０１を再発行する際に必要とされる第２情報を、別途取得する必要がなく、銀行側の手間を省くことができる。
【００４９】
この場合、通帳２０１には、記録領域として、第２情報が磁気情報として記録された磁気ストライプ２０３、および、第２情報が画像情報として記録された画像記録領域、の少なくとも一方が含まれ、読取り部は、磁気ストライプ２０３から第２情報を読み取る磁気読書き部３１、および画像記録領域から第２情報を読み取る画像読取り部３３、の少なくとも一方を有することが好ましい。
【００５０】
この構成によれば、磁気読書き部３１および画像読取り部３３の少なくとも一方により、第２情報を読み取ることができる。
【００５１】
この場合、第１開口部７に搬送された通帳２０１が取り出されたか否かを検出する検出部、を備え、読取り部は、検出部としても機能することが好ましい。
【００５２】
この構成によれば、読取り部と検出部とを別々に備える必要がないため、部品点数を削減することができる。
【００５３】
この場合、搬送路３５に沿って、印刷部２３、磁気読書き部３１および画像読取り部３３が配置されていることが好ましい。
【００５４】
この構成によれば、搬送路３５を搬送される通帳２０１に対して、印刷および第２情報の読取りを行うことができる。
【００５５】
通帳印刷装置１の制御方法は、通帳２０１が挿入され、通帳２０１が取り出される第１開口部７、および通帳２０１が排出される第２開口部９、が設けられた筐体３と、第１開口部７と第２開口部９とを結ぶ搬送路３５と、搬送路３５に沿って、通帳２０１を搬送する搬送部２１と、通帳２０１に対し、印刷を行う印刷部２３と、ホストコンピューター１０１と通信する通信部７１と、を備えた通帳印刷装置１において、搬送部２１により、第２開口部９から通帳２０１を排出するステップと、通信部７１により、第２開口部９から通帳２０１が排出されたことを意味する第１情報を、ホストコンピューター１０１へ送信するステップと、を備えた。
【００５６】
この構成によれば、第２開口部９から通帳２０１が排出された場合に、第２開口部９から通帳２０１が排出されたことを意味する第１情報が、ホストコンピューター１０１へ送信される。したがって、銀行側が、第２開口部９から通帳２０１が排出されたことを、ホストコンピューター１０１を介して認識することができる。
【符号の説明】
【００５７】
５…装置本体、７…第１開口部、９…第２開口部、１１…通帳台、１３…ベースフレーム、１７…第１搬送壁部、１９…第２搬送壁部、２１…搬送部、２３…印刷部、２５…突当部材、３１…磁気読書き部、３３…画像読取り部、３５…搬送路、３７ａ…第１搬送ローラー対、３７ｂ…第２搬送ローラー対、３７ｃ…第３搬送ローラー対、４３…駆動ローラー、４５…従動ローラー、４９…キャリッジ、５１…キャリッジガイド軸、５３…プラテン、５５…印刷ヘッド、６３…磁気ヘッド、６４…通帳押え部、６５…第１読取り部、６７…第２読取り部、２０１…通帳、２０５…前端、２０７…後端、Ｄ１…第１搬送方向、Ｄ２…第２搬送方向。
【図１】
2020138349.tif 000003
【図２】
2020138349.tif 000004
【図３】
2020138349.tif 000005
【図４】
2020138349.tif 000006
【図５】
2020138349.tif 000007
【図６】
2020138349.tif 000008